(57)【要約】【課題】フレキシブル集約配線コネクタにおいて、フレキシブル集約配線が才知面と反対方向へたわみことを抑制する。【解決手段】フレキシブル集約配線１２の端末部１３を接続相手のコネクタに挿入接続する際に用いるフレキシブル集約配線コネクタ１１であって、フレキシブル集約配線１２の端末部１３が配列配置される載置面１４と、該載置面１４の端末部配列方向の両端側に形成され、フレキシブル集約配線１２における端末部１３の両側縁側に穿設された一対の係止孔１２ａ，１２ｂに係合する一対の係止フック１７，１７と、を備え、前記載置面１４における端末部１３の配列方向両端にはフレキシブル集約配線１２側に立設する突部１４ｂが形成され、前記一対の係止フック１７，１７間の幅は、フレキシブル集約配線１２に穿設された一対の係止孔１７，１７間の幅よりも僅かに小さく設計する。【選択図】図１
2014007114.tif 000002
【特許請求の範囲】
【請求項１】
フレキシブル集約配線の端末部を接続相手のコネクタに挿入接続する際に用いるフレキシブル集約配線コネクタであって、
フレキシブル集約配線の端末部が配列配置される載置面と、
該載置面の端末部配列方向の両端側に形成され、フレキシブル集約配線における端末部の両側縁側に穿設された一対の係止孔に係合する一対の係止フックと、を備え、
前記載置面における端末部の配列方向両端にはフレキシブル集約配線側に立設する突部が形成され、
前記一対の係止フック間の幅は、フレキシブル集約配線に穿設された一対の係止孔間の幅よりも僅かに小さく設計されたことを特徴とするフレキシブル集約配線コネクタ。
【請求項２】
前記載置面における端末部の配列方向両端側には、中央側から両端側へ向かうに従いフレキシブル集約配線側へ傾斜するテーパ部が形成されたことを特徴とする請求項１記載のフレキシブル集約配線コネクタ。
【発明の詳細な説明】
【技術分野】
【０００１】
本発明は、フレキシブル集約配線コネクタに関する。
【背景技術】
【０００２】
各種の電子機器や電気機器の相互接続には、配線スペースの低減や、配線経路における自由度の向上などのために、フレキシブルフラットケーブル（ＦＦＣ）、フレキシブル配線基板（ＦＰＣ）等のフレキシブル集約配線が用いられている。このようなフレキシブル集約配線の端末部は、通常、着脱式のフレキシブル集約配線コネクタを介して他の電気回路に接続される（例えば、特許文献１参照）。
【０００３】
ここで、特許文献１におけるフレキシブル集約配線コネクタについて図６，図７に基づいて説明する。図６，図７に示すように、特許文献１におけるフレキシブル集約配線コネクタ１は、フレキシブル集約配線２の端末部３が設置される載置面４が形成されたスライダ５と、このスライダ５に組み付けてフレキシブル集約配線２の端末部３をスライダ５の載置面４に押圧するカバー６と、を備えている。
【０００４】
前記スライダ５は、載置面４における長手方向の両端側に位置決めボス７ａが形成されており、前記両端に連なる両側面には突起７ｂが形成されている。また、前記カバー６は、フレキシブル集約配線２における端末部３の配列方向に延在する長手部材６ａと、その長手部材６ａの両端からスライダ５の側面に沿って垂設され、該側面の突起７ｂに係止可能な開口が形成された係合部材６ｂと、で形成されている。前記フレキシブル集約配線２には、前記位置決めボス７ａ，７ａに対応する位置にボス孔２ａ，２ａが穿設されている。
【０００５】
このフレキシブル集約配線２の端末部３に対するフレキシブル集約配線コネクタ１の組み付けは、フレキシブル集約配線２のボス孔２ａ，２ａにスライダ５の位置決めボス７ａ，７ａを挿し込んで、前記端末部３をスライダ５の載置面４に設置する。そして、カバー６の長手部材６ａをフレキシブル集約配線２を覆うようにして、カバー６の係合部材６ｂをスライダ５側面の突起７ｂに係合させ、フレキシブル集約配線２とスライダ５を密着させる。
【先行技術文献】
【特許文献】
【０００６】
【特許文献１】特開２０１１−４４３８１号公報
【特許文献２】特開２０１１−４０２２６号公報
【特許文献３】特開２０１０−３４４３号公報
【発明の概要】
【発明が解決しようとする課題】
【０００７】
しかしながら、フレキシブル集約配線２は、各種の電子機器や電気機器に組み付けられた状態における配線レイアウトや、フレキシブル集約配線コネクタ１に組み付けられた状態での取り扱い（持ち方）によっては、延在部が曲げて使用されることがある。この場合、フレキシブル集約配線２の端末部３がたわみ変形する恐れがある。
【０００８】
図８は、フレキシブル集約配線２の端末部３に連なる延在部８が曲げて使用される際における端末部３のたわみ変形の一例を示す図である。図８（ａ）は、フレキシブル集約配線コネクタ１の側面図であり、図８（ｂ）はフレキシブル集約配線コネクタ１を端末部３側から見た図である。なお、図８（ａ）において破線はフレキシブル集約配線２の延在部８が曲げられていない状態を示している。また、図８（ｂ）においてはフレキシブル集約配線２の端末部３のたわみ変形の説明上、曲げられた延在部８の図示を省略している。
【０００９】
図８（ａ）に示すように、フレキシブル集約配線２の延在部８が図において上側へ曲げられて載置面４に対して角度を持たせた状態にすると、フレキシブル集約配線２の端末部３には曲げを戻す方向（図において下側）に弾性力が加わる。ここで、フレキシブル集約配線２の端末部３には、端末部３の配列方向の全体に対して曲げを戻す弾性力が加わる。フレキシブル集約配線２がカバー６に押圧された状態で曲げを戻す弾性力が加わると、図８（ｂ）に示すように、フレキシブル集約配線２の端末部３における配列方向中央部がカバー６の長手部材６ａとともに凹状にたわみ変形する。すなわち、カバー６の長手部材６ａの両端部は係合部材６ｂによりスライダ５側面の突起７ｂに係止されている一方、長手部材６ａの中央部はスライダ５に係止されておらず、また、肉厚の薄さに起因する反力不足により長手部材６ａの中央部がたわみ変形する。その結果、フレキシブル集約配線２とフレキシブル集約配線コネクタ１との密着性の低下や接続相手のコネクタとの嵌合不良により、電気的信頼性が損なわれる恐れがある。
【００１０】
これに対して、例えば、カバー６における長手部材６ａの厚みを増やして反力を向上させることにより、フレキシブル集約配線２における端末部３からの押圧に対してカバー６および端末部３がたわみ変形しないようにする方法が考えられる。しかしながら、図９に示すように、フレキシブル集約配線コネクタ１とＰＣＢコネクタ１０との接続時（嵌合時）におけるプリント配線基板（以下、ＰＣＢと称する）９とカバー６とのクリアランス寸法が極小であるため、カバー６の長手部材６ａの厚みを増やすことには制約がある。
【００１１】
すなわち、カバー６の厚みを増やした場合、図９に示すように、カバー６とＰＣＢ９とのクリアランス寸法が極小であるため、ＰＣＢ９とカバー６とが接触してしまい、フレキシブル集約配線コネクタ１とＰＣＢコネクタ１０とを嵌合させることができない。また、ＰＣＢ９とカバー６とが接触した場合、ＰＣＢ９のパターンに断線等の影響を及ぼす可能性がある。さらに、カバー６とＰＣＢ９とが接触した場合、ＰＣＢコネクタ１０におけるフレキシブル集約配線コネクタ１との接点に過剰な力がかかり端子変形および接触不良の原因となる。また、ＰＣＢコネクタ１０におけるフレキシブル集約配線コネクタ１の接点位置を高くすることにより、カバー６とＰＣＢ９との接触を避ける方法も考えられるが、当該方法の場合、ＰＣＢコネクタ１０が大型化してしまう。ＰＣＢコネクタ１０は小型化のニーズが強いため、この方法を採用することはできない。
【００１２】
以上示したようなことから、フレキシブル集約配線が載置面と反対方向にたわむことを抑制するフレキシブル集約配線コネクタを提供することが課題となる。
【課題を解決するための手段】
【００１３】
本発明は、前記従来の問題に鑑み、案出されたもので、その一態様は、フレキシブル集約配線の端末部を接続相手のコネクタに挿入接続する際に用いるフレキシブル集約配線コネクタであって、フレキシブル集約配線の端末部が配列配置される載置面と、該載置面の端末部配列方向の両端側に形成され、フレキシブル集約配線における端末部の両側縁側に穿設された一対の係止孔に係合する一対の係止フックと、を備え、前記載置面における端末部の配列方向両端にはフレキシブル集約配線側に立設する突起が形成され、前記一対の係止フック間の幅は、フレキシブル集約配線に穿設された一対の係止孔間の幅よりも僅かに小さく設計されたことを特徴とする。
【００１４】
また、その一態様として、前記載置面における端末部の配列方向両端側には、中央側から両端側へ向かうに従いフレキシブル集約配線側へ傾斜するテーパ部が形成されたことを特徴とする。
【発明の効果】
【００１５】
本発明によれば、フレキシブル集約配線コネクタにおいて、フレキシブル集約配線が載置面と反対方向へたわむことを抑制することが可能となる。
【図面の簡単な説明】
【００１６】
【図１】実施形態におけるフレキシブル集約配線コネクタを示す図である。
【図２】実施形態におけるフレキシブル集約配線コネクタを示す部分拡大図である。
【図３】実施形態におけるフレキシブル集約配線の端末部を示す図である。
【図４】フレキシブル集約配線をフレキシブル集約配線コネクタに組み付けた状態を示す図である。
【図５】フレキシブル集約配線をフレキシブル集約配線コネクタに組み付けた状態を示す断面図である。
【図６】従来におけるフレキシブル集約配線コネクタとＰＣＢコネクタを示す斜視図である。
【図７】従来におけるフレキシブル集約配線コネクタを示す分解図である。
【図８】フレキシブル集約配線の延在部が曲げて使用される際における端末部のたわみ変形を示す図である。
【図９】フレキシブル集約配線コネクタとＰＣＢコネクタとを接続した状態を示す図である。
【発明を実施するための形態】
【００１７】
以下、実施形態におけるフレキシブル集約配線コネクタを図１〜図５に基づいて詳細に説明する。
【００１８】
［実施形態］
図１は、本実施形態におけるフレキシブル集約配線コネクタ１１を示す図である。図１において、（ａ）は端末部側から見た側面図，（ｂ）は平面図，（ｃ）はＡ−Ａ断面図，（ｄ）は側面側から見た側面図を示している。
【００１９】
前記フレキシブル集約配線コネクタ１１には、その一面（図１（ａ）では下面）の長手方向に沿って、フレキシブル集約配線１２の端末部１３が配列配置される載置面１４が形成されている。また、載置面１４の両端部側には、フレキシブル集約配線１２の端末部１３に形成された２つの係止孔１２ａ，１２ｂに挿入される係止フック１７，１７が起立して設けられている。
【００２０】
前記係止フック１７，１７は、図２に示すように、載置面１４から立設する基部１７ａと、この基部１７ａから端末部配列方向中央側へ突起した突起部１７ｂと、で形成されている。
【００２１】
図１（ｂ）に示す前記係止フック１７，１７間の幅ｄは、フレキシブル集約配線１２の係止孔１２ａ，１２ａ間の幅Ｄよりも僅かに小さく設計されている。この係止フック１７，１７は図１（ｂ）に示すように、フレキシブル集約配線１２の差込方向に対して互いにずらして設けられている。これは、フレキシブル集約配線１２の導体露出面１２ｃを載置面１４側向けて載置することを防止するためである。
【００２２】
また、前記フレキシブル集約配線コネクタ１１の載置面１４は、長手方向における中央部が平面状に形成され、長手方向における両端側（係止フック１７付近）には、中央部側から両端側へ向かうに従いフレキシブル集約配線側へ傾斜するテーパ部１４ａが形成されている。また、載置面１４の長手方向における両端にはフレキシブル集約配線１２側へ突出した突部１４ｂが形成されている。
【００２３】
本実施形態におけるフレキシブル集約配線１２（図３）は、配列された箔状の複数本の導体を絶縁フィルムで挟み、他の電気回路と接続するため一方の面の絶縁フィルムを切り欠いて各導体の端末部を露出させたフレキシブルフラットケーブル（ＦＦＣ）や、フレキシブル基板上に形成された電気回路を外部の電気回路と接続するために基板縁に箔状の複数本の導体からなる端末部が形成されたフレキシブル配線基板等（ＦＰＣ）等を想定している。また、フレキシブル集約配線１２は、使用用途に応じて端末部１３に連なる延在部が適宜の長さに形成されているが、図示を簡略化するため省略している。
【００２４】
図３に示すように、前記フレキシブル集約配線１２は、端末部１４の両側縁側にフレキシブル集約配線コネクタ１１の係止フック１７，１７が挿入される係止孔１２ａ，１２ｂが穿設されている。この係止孔１２ａ，１２ｂ間の幅Ｄは、係止フック１７，１７間の幅ｄよりも広く設計される。また、前記係止孔１２ａ，１２ｂは、係止フック１７，１７と同様に、差込方向に対して互いにずらして設けられている。
【００２５】
前記フレキシブル集約配線１２は、前記係止孔１２ａ，１２ｂをフレキシブル集約配線コネクタ１１の係止フック１７，１７に位置合わせをし、係止孔１２ａ，１２ｂを係止フック１７，１７に挿入することにより、フレキシブル集約配線１２が突起部１７ｂに係止され、フレキシブル集約配線コネクタ１１に組みつけられる。
【００２６】
図４，図５は、前記フレキシブル集約配線１２をフレキシブル集約配線コネクタ１１に組み付けた状態を示す図である。図４（ａ）は平面図，図４（ｂ）は断面図，図５は一端側の拡大図を示している。
【００２７】
前記フレキシブル集約配線１２をフレキシブル集約配線コネクタ１１に組み付けると、フレキシブル集約配線１２の係止孔１２ａ，１２ｂ間の幅Ｄ＞フレキシブル集約配線コネクタ１１の係止フック１７，１７間の幅ｄで設計されているため、フレキシブル集約配線１２がたわむ。この時、フレキシブル集約配線コネクタ１１における両端部の突部１４ｂより、フレキシブル集約配線１２の両側縁が押し上げられ、フレキシブル集約配線のたわむ方向を載置面１４側に強制する。また、フレキシブル集約配線１２がテーパ部１４ａの形状に追従するため、フレキシブル集約配線１２がフレキシブル集約配線コネクタ１１の載置面１４に押し付けられる。
【００２８】
このようにして、フレキシブル集約配線コネクタ１１に組みつけられたフレキシブル集約配線１２は、例えば、図示していないプリント配線基板（ＰＣＢ）に取り付けられたＰＣＢコネクタの挿入口に挿入され、ＰＣＢコネクタ内部に設けられた接続端子にフレキシブル集約配線１２の端末部１３が接続される。
【００２９】
これにより、可撓性を有するフレキシブル集約配線１２であっても、フレキシブル集約配線コネクタ１１により固定されているため、ＰＣＢコネクタ側の挿入抵抗に抗してフレキシブル集約配線１２を安定して挿入接続できる。また、フレキシブル集約配線１２をＰＣＢコネクタに挿入接続した状態で、フレキシブル集約配線コネクタ１１に形成された係止部材１５ｃがＰＣＢコネクタの突起に係合して挿入状態を保持するようになっている。
【００３０】
以上示したように、本実施形態におけるフレキシブル集約配線コネクタ１１によれば、フレキシブル集約配線１２の延在部が曲げて使用されることに起因してフレキシブル集約配線１２の端末部１３が載置面１４から浮き上がろうとする弾性力が働いたとしても、フレキシブル集約配線１２の端末部１３を、常に、フレキシブル集約配線コネクタ１１の載置面１４に密着させることができる。すなわち、係止フック１７，１７間の幅ｄが係止孔１２ａ，１２ｂ間の幅Ｄよりも狭いため端末部１３はたわみ、さらに、載置面１４両端の突部１４ｂによりたわむ方向を載置面１４側に強制し、テーパ部１４ｂによりフレキシブル集約配線１２がテーパ部１４ｂの形状に追従する。その結果、フレキシブル集約配線１２の端末部１３が載置面１４と反対方向にたわみ変形することを抑制し、安定した電気的信頼性を確保できる。
【００３１】
また、フレキシブル集約配線１２の延在部が曲げられていない通常状態においても、フレキシブル集約配線１２の端末部１３は載置面１４側に強制的にたわみ変形されているため、フレキシブル集約配線１２の端末部１３とフレキシブル集約配線コネクタ１１の載置面１４との密着性を高めることができる。よって、安定した電気的信頼性を確保できる。
【００３２】
さらに、本実施形態におけるフレキシブル集約配線コネクタ１１は従来と比較してカバーが不要となるため、部品点数が削減でき、コストダウンにも寄与する。また、カバーの厚みを増やして反力を向上させる必要がないため、カバーとＰＣＢとが接触することにより、フレキシブル集約配線コネクタ１１とＰＣＢコネクタとの嵌合不良，ＰＣＢパターンの断線，端子変形，接触不良，ＰＣＢコネクタの大型化等を抑制することが可能となる。
【００３３】
以上、本発明において、記載された具体例に対してのみ詳細に説明したが、本発明の技術思想の範囲で多彩な変形および修正が可能であることは、当業者にとって明白なことであり、このような変形および修正が特許請求の範囲に属することは当然のことである。
【００３４】
例えば、載置面１４におけるテーパ部１４ａの傾斜角度や突部１４ｂの大きさ等はフレキシブル集約配線コネクタ１１およびフレキシブル集約配線１２の寸法などに応じて適宜選択できる。
【００３５】
また、係止フック１７は実施形態１の形状に限定されず、フレキシブル集約配線１２を係止できれば適宜選択可能である。
【符号の説明】
【００３６】
１１…フレキシブル集約配線コネクタ
１２…フレキシブル集約配線
１２ａ，１２ｂ…係止孔
１３…端末部
１４…載置面
１４ａ…テーパ部
１４ｂ…突部
１７…係止フック
【図１】
2014007114.tif 000003
【図２】
2014007114.tif 000004
【図３】
2014007114.tif 000005
【図４】
2014007114.tif 000006
【図５】
2014007114.tif 000007
【図６】
2014007114.tif 000008
【図７】
2014007114.tif 000009
【図８】
2014007114.tif 000010
【図９】
2014007114.tif 000011